(57)【特許請求の範囲】
【請求項１】
乗りかごと、
前記乗りかごに設けられ、前記乗りかごの室内の気圧を、前記乗りかごの室外の気圧に対して陰圧あるいは陽圧となるように制御する気圧制御装置と、
を備え、
前記乗りかごは、前記乗りかごの室内外の差圧によって動作して、前記乗りかごの隙間を低減する部材を有し、
前記気圧制御装置は、前記乗りかごの走行中に、前記乗りかごの室内の気圧の陰圧と陽圧を切り替えるエレベーター装置において、
前記気圧制御装置は、一走行行程において前記乗りかごの速度が最高速度となる所定期間の前あるいは後において、前記乗りかごの室内の気圧の陰圧と陽圧を切り替え、前記所定期間において、前記乗りかごの室内の気圧を、陰圧および陽圧のいずれかとなるように制御することを特徴とするエレベーター装置。
【請求項２】
請求項１に記載のエレベーター装置において、
前記気圧制御装置は、前記所定期間において、前記乗りかごの室内の気圧と、前記乗りかごの室外の気圧との差圧の大きさを、前記乗りかごの隙間を低減する前記部材が動作する大きさ以上になるように制御することを特徴とするエレベーター装置。
【請求項３】
請求項２に記載のエレベーター装置において、
前記気圧制御装置は、前記所定期間において、前記差圧の大きさを、前記所定期間の前あるいは後における前記差圧の大きさの最大値以下となるように制御することを特徴とするエレベーター装置。
【請求項４】
請求項２に記載のエレベーター装置において、
前記気圧制御装置は、前記所定期間において、前記差圧の大きさを、前記乗りかごの室外の気圧と、前記乗りかごの室外の気圧を近似する近似直線との差圧の大きさの最大値以下となるように制御することを特徴とするエレベーター装置。
【請求項５】
請求項２に記載のエレベーター装置において、
前記気圧制御装置は、前記所定期間において、前記乗りかごの室内の気圧の変化率が、前記乗りかごの室外の気圧の変化率と一致するように前記乗りかごの室内の気圧を制御することを特徴とするエレベーター装置。
【請求項６】
請求項１に記載のエレベーター装置において、
前記気圧制御装置は、前記乗りかごの走行中に、前記乗りかごの室内の気圧を、折れ線状に時間変化するように制御することを特徴とするエレベーター装置。
【請求項７】
請求項６に記載のエレベーター装置において、
前記乗りかごの室内の気圧の前記時間変化は、第一の変化率を有する期間と、変化率の大きさが第一の変化率よりも小さな第二の変化率を有する期間を交互に繰り返すことを特徴とするエレベーター装置。
【請求項８】
請求項７に記載のエレベーター装置において、
前記気圧制御装置は、前記第二の変化率を有する期間に、前記乗りかごの室内の気圧の陰圧と陽圧を切り替えることを特徴とするエレベーター装置。
【請求項９】
請求項８に記載のエレベーター装置において、
前記気圧制御装置は、前記乗りかごの一走行行程中に、一回のみ前記乗りかごの室内の気圧の陰圧と陽圧を切り替えることを特徴とするエレベーター装置。
【請求項１０】
請求項１に記載のエレベーター装置において、
前記気圧制御装置は、前記乗りかごの一走行行程中に、一回のみ前記乗りかごの室内の気圧の陰圧と陽圧を切り替えることを特徴とするエレベーター装置。
【請求項１１】
請求項１に記載のエレベーター装置において、
前記気圧制御装置は、
前記乗りかごの室内外間で空気を給排気する送風機と、
前記乗りかごの室内外の差圧を検出する差圧計と、
前記差圧計の検出信号に基づいて、前記送風機を制御する送風機制御装置を備えることを特徴とするエレベーター装置。
【請求項１２】
請求項１１に記載のエレベーター装置において、
前記送風機制御装置は、
前記差圧計によって検出される差圧の検出値が、前記乗りかごの速度が最高速度となる前記所定期間の前あるいは後において、前記乗りかごの室内の気圧の陰圧と陽圧を切り替え、前記所定期間において、前記乗りかごの室内の気圧を、陰圧および陽圧のいずれかとなるように設定される差圧の目標値に一致するように、前記送風機の給排気量を制御することを特徴とするエレベーター装置。
【請求項１３】
乗りかごと、
前記乗りかごに設けられ、前記乗りかごの室内の気圧を、前記乗りかごの室外の気圧に対して陰圧あるいは陽圧となるように制御する気圧制御装置と、
を備え、
前記乗りかごは、前記乗りかごの室内外の差圧によって動作して、前記乗りかごの隙間を低減する部材を有し、
前記気圧制御装置は、前記乗りかごの走行中に、前記乗りかごの室内の気圧の陰圧と陽圧を切り替えるエレベーター装置において、
前記気圧制御装置は、一走行行程において前記乗りかごの速度が最高速度となる所定期間において、前記乗りかごの室内の気圧の陰圧と陽圧を切り替えないことを特徴とするエレベーター装置。
【請求項１４】
請求項１３に記載のエレベーター装置において、
前記気圧制御装置は、前記乗りかごの走行中に、前記乗りかごの室内の気圧を、折れ線状に時間変化するように、制御することを特徴とするエレベーター装置。
【請求項１５】
請求項１３または請求項１４に記載のエレベーター装置において、
前記気圧制御装置は、前記乗りかごの一走行行程中に、前記所定期間の前あるいは後において、一回のみ前記乗りかごの室内の気圧の陰圧と陽圧を切り替えることを特徴とするエレベーター装置。
【発明の詳細な説明】
【技術分野】
【０００１】
本発明は、乗りかご内の気圧が制御されるエレベーター装置に関する。
【背景技術】
【０００２】
近年、エレベーター装置は、建物の高層化に伴い、長行程化するとともに、走行時間短縮のために昇降速度が高速化される傾向にある。このような長行程の高速エレベーター装置では、乗りかご内の急激な気圧の変化によって、耳閉感（耳詰まり）などの不快感を乗客に与えることがある。急激な気圧変動に伴う乗客の不快感を低減するために、乗りかごを気密状態にした上で、乗りかご内の気圧が制御される。【０００３】
このようなエレベーター装置に関する従来技術として、特許文献１および特許文献２に記載される技術が知られている。【０００４】
特許文献１に記載の技術においては、ドアパネルまたはかご室のいずれかに、シール部材を備える弁のような部材（以下、「弁構造」と記す）を設ける。乗りかご内の気圧が、加圧または減圧制御されると、乗りかご内外の気圧の差圧により、乗りかごのドアパネルとかご室との間の隙間が弁構造により塞がれる。これにより、乗りかごが気密状態になる。【０００５】
特許文献２に記載の技術においては、乗りかごの走行中において、乗りかご外部の気圧に応じて、乗りかご室内の気圧を段階的に昇圧あるいは降圧するように制御する。これにより、乗客の耳閉感が緩和される。
【先行技術文献】
【特許文献】
【０００６】
【特許文献１】特開２００３−８１５６１号公報
【特許文献２】特許第５９７０３６２号公報
【発明の概要】
【発明が解決しようとする課題】
【０００７】
上記従来技術によるエレベーター装置においては、乗りかごの一走行行程の中間部において、乗りかご内の気圧の加圧制御が減圧制御に切り替えられる。切り替え時においては、乗りかご内外の気圧の差圧の大きさが小さくなるため、弁構造部に隙間が発生する。また、乗りかごの一走行行程の中間部においては、一般に、乗りかごは最高速度に達するので、エレベーターの走行に伴う騒音が大きくなる。このため、乗りかご外から、弁構造部に生じる隙間を介して、乗りかご内に騒音が伝搬して、乗りかご内の騒音が大きくなる。【０００８】
そこで、本発明は、乗りかご内の騒音を低減できる気圧制御装置を備えるエレベーター装置を提供することにある。
【課題を解決するための手段】
【０００９】
上記課題を解決するために、本発明によるエレベーター装置は、乗りかごと、乗りかごに設けられ、乗りかごの室内の気圧を、乗りかごの室外の気圧に対して陰圧あるいは陽圧となるように制御する気圧制御装置と、を備え、乗りかごは、乗りかごの室内外の差圧によって変位して、乗りかごの隙間を低減する部材を有し、気圧制御装置は、乗りかごの走行中に、乗りかごの室内の気圧の陰圧と陽圧を切り替えるものであって、気圧制御装置は、一走行行程において乗りかごの速度が最高速度となる所定期間の前あるいは後において、乗りかごの室内の気圧の陰圧と陽圧を切り替え、所定期間において、乗りかごの室内の気圧を、陰圧および陽圧のいずれかとなるように制御する。【００１０】
また、上記課題を解決するために、本発明によるエレベーター装置は、乗りかごに設けられ、乗りかごの室内の気圧を、乗りかごの室外の気圧に対して陰圧あるいは陽圧となるように制御する気圧制御装置と、を備え、乗りかごは、乗りかごの室内外の差圧によって変位して、乗りかごの隙間を低減する部材を有し、気圧制御装置は、乗りかごの走行中に、前記乗りかごの室内の気圧の陰圧と陽圧を切り替えるものであって、気圧制御装置は、一走行行程において乗りかごの速度が最高速度となる所定期間において、乗りかごの室内の気圧の陰圧と陽圧を切り替えないことを特徴とするエレベーター装置。
【発明の効果】
【００１１】
本発明によれば、乗りかごの速度が最高速度となる期間において、乗りかごの室内外に圧力差が発生するため、乗りかごの隙間を低減することができる。これにより、乗りかご内の騒音を低減することができる。【００１２】
上記した以外の課題、構成および効果は、以下の実施形態の説明により明らかにされる。
【図面の簡単な説明】
【００１３】
【図１】本発明の一実施形態であるエレベーター装置の全体概要を示す側断面図である。
【図２】本実施形態における乗りかごの構成を示す斜視図である。
【図３】本実施形態における弁構造の一例を示す。
【図４】本実施形態における圧力制御パターンの第一例を示す説明図である。
【図５】本実施形態における圧力制御パターンの第二例を示す説明図である。
【図６】本実施形態における圧力制御パターンの第三例を示す説明図である。
【発明を実施するための形態】
【００１４】
以下、本発明の実施形態を図面に基づいて説明する。各図において、参照番号が同一のものは同一の構成要件あるいは類似の機能を備えた構成要件を示している。
【００１５】
図１は、本発明の一実施形態であるエレベーター装置の全体概要を示す側断面図である。
【００１６】
図１に示すように、エレベーター装置１は、昇降路２内を昇降する乗りかご３および釣り合いおもり４と、昇降路２内において乗りかご３および釣り合いおもり４を吊持する主ロープ５と、主ロープ５が巻き掛けられるシーブ６を有する巻上機（図示せず）と、主ロープ５が巻き掛けられる反らせ車７とを有している。本実施形態では巻上機（シーブ６を含む）と反らせ車７は昇降路２の上部に配置される機械室８内に設けられている。このように構成されるエレベーター装置１においては、巻上機のシーブ６が回転することで主ロープ５が駆動されると、乗りかご３および釣り合いおもり４が互いに反対方向に昇降路２内を昇降する。なお、主ロープ５は、乗りかご３においてかご室を支持するかご枠に連結されるとともに、釣り合いおもり４において複数のおもり片を支持する枠体に連結される。
【００１７】
図１では、エレベーター装置１が設置される建屋の最下階９と最上階１０を模式的に示しているが、建屋の階床数は２階床以上の任意の階床数で良い。また、各階床には乗場ドア１１が設けられている。乗場ドア１１は、乗りかご３が停止した際に、乗りかご３に設けられるかごドア１２と対向して係合し、乗りかご３に設けられるドア駆動装置によってかごドア１２と共に開閉する。
【００１８】
図２は、本実施形態における乗りかご３の構成を示す斜視図である。なお、かご枠は図示を省略している。
【００１９】
図２に示すように、乗りかご３のかご室は、上下に長い直方体形状をしており、側方の四方向に設けられる側面パネル１４と、側面パネル１４を下部で支持する床１５と、側面パネル１４の上部に設けられる天井１６とを備え、乗りかご３の前側（正面側）に設けられる側面パネル１４にはかごドア１２が設けられる。
【００２０】
乗りかご３は、かごドア１２、側面パネル１４、床１５、天井１６、および、かごドア１２と正面の側面パネル１４間などには、乗りかご３の室内外の圧力差により動作（例えば、変位）して各部間の隙間を塞ぐ弁構造により、気密性が保たれている。このような弁構造としては、例えば、前述の特許文献１に記載されるものが適用できる。なお、本実施形態における弁構造の一例については後述する。
【００２１】
気密性を有する乗りかご３のかご室内部の気圧を制御するため、かご室外に、本実施形態では乗りかご３の上部となる天井１６の上に、気圧制御装置（１３，１７，１８）が設けられる。この気圧制御装置は、乗りかご３の外部の空気をかご室内に圧送したり、かご室内の空気を外部に排出したりする送風機１３を備える。送風機１３により、乗りかご３のかご室内へ出し入れする空気量を調整することで、かご室内部の気圧が加圧あるいは減圧制御される。
【００２２】
気圧制御装置は、さらに、送風機１３を制御する送風機制御装置１８と乗りかごの室内外の気圧の差圧を検出する差圧計１７を備える。送風機制御装置１８および差圧計１７は、送風機１３と同様に、天井１６の上に設けられる。送風機制御装置１８は、差圧計１７の検出信号をフィードバックして、差圧計１７によって検出される差圧が、後述する圧力制御パターンによる差圧の目標値に従うように、送風機の給排気量を制御する。
【００２３】
なお、本実施形態では、図２に示すように、送風機１３は１台であるが、複数台設置してもよい。また、送風機１３、差圧計１７および送風機制御装置１８は、乗りかご３の上部に限らず、乗りかごの側面や背面、床１５の下部などに設置してもよい。
【００２４】
図３は、本実施形態における弁構造の一例を示す。なお、本図は、一例として、かごドア１２と、乗りかごの床に隣接するかごドア用のシル（敷居）との間の隙間を塞ぐための弁構造を示す。
【００２５】
図３に示すように、乗りかごに設けられるかごドア１２用のシル１９のシル溝２０内に、弁構造が設けられる。本弁構造は、かごドア１２の下端部に設けられ、シル溝内に位置する支持体２１と、支持体に接続され、シル溝２０の内壁側面に対向するゴムなどの弾性体２２とを備える。乗りかごの室内が、気圧制御装置によって加圧あるいは減圧されると、乗りかごの室内外の気圧差によって、かごドア１２が押圧される。この場合、かごドア１２が、シル１９に対して、かご室外へ向かう方向あるいはかご室内へ向かう方向（図３中の左右方向）に変位する。これにより、弾性体２２が、かごドア１２とともに変位してシル溝２０の内壁側面に接触するので、弾性体２２によって、かごドア１２とシル１９との間の隙間が塞がれて低減される。
【００２６】
なお、乗りかごが停止し、乗りかごの室内外の気圧差が零となる場合において、弾性体２２はシル溝２０の内壁側面から離れ、両者間には隙間が介在する。このため、弁構造が、かごドア１２の開閉に支障をきたすことはない。また、乗りかごが走行中に、かご室内の圧力制御が減圧から加圧に、あるいは加圧から減圧に切り替わる際にも、乗りかごの室内外の気圧差が減少して零になり得る。この時、弾性体２２とシル溝２０の内壁側面との間に隙間が生じると、隙間を介してかご室外からかご室内へ騒音が伝搬し得る。そこで、本実施形態では、気圧制御装置が次に説明するような圧力制御パターンによってかご室内の気圧を制御することにより、騒音を低減する。
【００２７】
以下、本実施形態における乗りかご室内の圧力制御について、図４〜６を用いて説明する。
【００２８】
図４は、本実施形態における圧力制御パターンの第一例を示す説明図である。本図においては、乗りかごが上昇（ＵＰ）運転時における、乗りかごの高さ位置における乗りかごの室外の気圧（大気圧）と、圧力制御パターンすなわち乗りかごの室内の気圧の時間的変化を示す。なお、縦軸は、到着階（例えば、最上階）の気圧を基準（０）としている。また、乗りかごの速度パターンも併記するが、本図においては、乗りかごの一走行行程（停止階を発車してから、加速し、定速度（最高速度）となり、さらに、減速して、到着階に着床するまで）の中間部である時間Ｔ１からＴ２までの期間において、乗りかごの走行速度が最高速度となる。なお、図示したような所定の速度パターンに従って、巻上機が備える電動機が、公知の速度制御装置によって制御される。
【００２９】
図４に示すように、乗りかご室外の気圧は、乗りかごが発車し、上昇して停車するまで、乗りかごの上昇速度の変化に応じて、略Ｓ字状の圧力曲線に沿って減少する。ここで、乗りかご室内の気圧を制御しなければ、乗りかご室内の気圧は同じ略Ｓ字状の圧力曲線に沿って変化する。この時、乗客には、耳閉感（耳詰まり感）などの不快感を生じ易い。
【００３０】
そこで、本実施形態では、耳閉感（耳詰まり感）などの不快感を緩和するために、折れ線状に時間変化する圧力制御パターンに従って、乗りかご室内の気圧を制御する。すなわち、図４における「乗りかご内気圧」が示すように、本実施形態における圧力制御パターンは、乗りかごの発車後、所定の第一の変化率（＜０：減圧率）で直線的に変化する期間と、第一の変化率よりも小さな、所定の第二の変化率（＜０：減圧率）で直線的に変化する期間を有し、これらの期間を交互に繰り返しながら、乗りかごが停車するまで、徐々に乗りかご室内の気圧が低下する。このため、乗客の不快感が緩和できる。また、乗りかご室内の気圧が、折れ線状のように段階的に時間変化するので、乗客に対し、乗りかご気圧の変化を確実に認識させて、嚥下を誘発することができるので、早期に不快感を解消させることができる。
【００３１】
なお、第一および第二の変化率の大きさを適宜設定して、階段状に時間変化する圧力制御パターンとしても良い。
【００３２】
図４の圧力制御パターンでは、乗りかごが発車した後、乗りかごの走行速度が速度パターンにおける最高速度に到達する直前までの間は、乗りかご室内の気圧を乗りかご室外の気圧よりも低く（減圧）する。すなわち、乗りかご室内は、乗りかご室外に対して陰圧にされる。そして、最高速度に到達する前に、乗りかご内気圧の変化率が、前述の第一の変化率から前述の第二の変化率に切り替えられ、最高速度に到達する直前に、乗りかご室内の気圧の減圧制御から、乗りかご室内の気圧を乗りかご室外の気圧よりも高くする加圧制御に切り替わる。すなわち、この時、乗りかご内は陰圧から陽圧に切り替わる。その後、加圧制御が維持されるとともに、最高速度の期間内において、乗りかご内気圧の変化率が、第二の変化率から第一の変化率に切り替えられ、最高速度の期間においては、第一の変化率が維持される。最高速度期間を過ぎ、減速期間に入ると、加圧制御、すなわち陽圧が維持されながら、上述のように、第一の変化率で直線的に変化する期間と、第二の変化率で直線的に変化する期間を交互に繰り返しながら、乗りかごが停車するまで、乗りかご室内の気圧が低下する。
【００３３】
なお、本実施形態では、折れ線状の乗りかご室内の気圧の制御パターンと、略Ｓ字状の乗りかご室外の気圧との差圧が、制御の目標値として、送風機制御装置１８（図２）に予め設定される。送風機制御装置１８は、差圧計１７（図２）によって検出される乗りかご室内外の差圧の検出値が、目標値に一致するように、送風機１３（図２）の給排気量を制御する。なお、差圧計１７に替えて、乗りかごの室内外にそれぞれ気圧計を設けて、両気圧計の検出値から差圧の検出値を演算しても良い。
【００３４】
上記の圧力制御パターンでは、乗りかごの１走行行程において、減圧制御および加圧制御間の切り替え、すなわち陰圧と陽圧の切り替えが一回のみである。これにより、圧力制御装置の構成や制御プログラムを簡単化することができる。さらに、最高速度に到達する前に、減圧制御から加圧制御に切り替わる。すなわち、この時、乗りかご室内は陰圧から陽圧に切り替わり、最高速度期間においては、加圧制御が維持される。つまり、最高速度期間においては、陰圧と陽圧の切り替えは実行されない。従って、最高速度の期間内においては、乗りかご室内が陽圧に保たれ、乗りかご室内外に圧力差がある状態となる。これにより、乗りかごが走行中に、乗りかごを気密状態とするための弁構造が動作して、乗りかごのドア部の隙間がふさがれ気密状態が保持されるので、乗りかご室外から乗りかご室内への騒音の伝播侵入が防止される。従って、乗りかご室内の騒音が低減できる。
【００３５】
図４の圧力制御パターンでは、最高速度期間における乗りかご室内の気圧の変化率、すなわち第一の変化率の値が、最高速度期間における乗りかご室外の気圧の変化率に略等しくなるように設定される。従って、最高速度期間において、乗りかご室内外の気圧の差圧が略一定に保たれる。これにより、最高速度期間において、弁構造は、ほぼ一定の動作状態となるので、乗りかご室外から乗りかご室内への騒音の伝播侵入が安定に防止される。なお、最高速度期間前に、第二の変化率の期間で加圧制御すなわち陽圧に切り替え、その後、最高速度期間直前に、第一の変化率の期間に切り替えても良い。これにより、最高速度期間全体において、乗りかご室内外の気圧の差圧が略一定に保たれるので、乗りかご室外から乗りかご室内への騒音の伝播侵入が安定に防止される。
【００３６】
上述したように、一走行行程中で最高速度となる所定期間において、乗りかごの室内外の差圧を陽圧に保持するように制御することにより、乗りかご内の騒音を低減できる。さらに、本発明者の検討によれば、騒音の大きさは、差圧の大きさにも依存する。そこで、本実施形態では、次に説明するように、一走行行程中の最高速度となる所定期間において、差圧が、その大きさが所定の範囲内（所定の下限および上限の間）、の値となるように制御される。すなわち、差圧の大きさは、弁構造が動作して、乗りかごのドア部の隙間を塞ぐために必要最小限の大きさ以上になるように制御される。さらに、一走行行程中の最高速度となる所定期間において、差圧の大きさは、その所定期間の前後における差圧の大きさの最大値以下となるように制御される。これにより、乗りかご内の騒音が低減される。
【００３７】
本発明者の検討によれば、一走行行程中の最高速度となる所定期間において、差圧の大きさの上限を次のように設定しても良い。すなわち、図４における乗りかごの室外の気圧と、乗りかごの室外の気圧を示すＳ字状の圧力曲線を近似した公知の近似直線（例えば、前述の特許文献２参照）との差圧の大きさの最大値を上限とする。この近似直線は、図４においては、Ｓ字状の圧力曲線の両端（始点と終点）を結ぶ仮想的な直線である。
【００３８】
なお、このように、一走行行程中の最高速度となる所定期間において、乗りかご室内外の差圧の大きさを所定の範囲内に制御することにより、所定期間における乗りかご内の騒音を低減することは、後述の図５および図６における圧力制御においても同様である。
【００３９】
図５は、本実施形態における圧力制御パターンの第二例を示す説明図である。本図においては、図４と同様に、乗りかごが上昇（ＵＰ）運転時における、乗りかごの高さ位置における乗りかご室外の気圧（大気圧）と、圧力制御パターンすなわち乗りかご室内の気圧の時間的変化と、乗りかごの速度パターンを示す。以下、図４の圧力制御パターンと異なる点について説明する。
【００４０】
図５に示すように、第二例の圧力制御パターンは、図４の第一例と同様に、乗りかごの発車後、所定の第一の変化率（＜０：減圧率）で直線的に変化する期間と、変化率の大きさ（絶対値）が第一の変化率よりも小さな、所定の第二の変化率（＜０：減圧率）で直線的に変化する期間を交互に繰り返しながら、乗りかごが停車するまで、徐々に乗りかご室内の気圧が低下する。さらに、第二例では、第一例と異なり、乗りかごが発車後、乗りかごの走行速度が最高速度である期間の直後までの間、乗りかご室内の気圧を乗りかご室外の気圧よりも低く（減圧）する。すなわち、乗りかご室内の気圧が減圧制御され、乗りかご室内は陰圧に保持される。そして、最高速度に到達する前に、乗りかご室内の気圧の変化率が、前述の第一の変化率から前述の第二の変化率に切り替えられる。最高速度期間に入ると第一の変化率が保持され、最高速度期間が終了する直前に、第一の変化率から前述の第二の変化率に切り替えられる。第二の変化率に切り替えられた後、第二の変化率の期間内において、最高速度期間終了直後に、乗りかご室内の気圧の減圧制御から、乗りかご室内の気圧を乗りかご室外の気圧よりも高くする加圧制御に切り替わる。つまり、最高速度期間においては、陰圧と陽圧の切り替えは実行されない。すなわち、この時、乗りかご室内は陰圧から陽圧に切り替わる。その後、減速期間において、加圧制御すなわち陽圧が維持されながら、第一の変化率で直線的に変化する期間と、第二の変化率で直線的に変化する期間を交互に繰り返しながら、乗りかごが停車するまで、乗りかご室内の気圧が低下する。
【００４１】
図５の第二例の圧力制御パターンでは、図４の第一例と同様に、乗りかごの１走行行程において、減圧制御および加圧制御間の切り替え、すなわち陰圧と陽圧の切り替えが一回のみであるため、圧力制御装置の構成や制御プログラムを簡単化することができる。さらに、最高速度期間終了直後に、減圧制御から加圧制御に切り替わり、陰圧から陽圧に切り替わる。すなわち、最高速度期間においては、減圧制御が維持される。従って、最高速度の期間内においては、乗りかご室内が陰圧に保たれ、乗りかご室内外に圧力差がある状態となる。これにより、乗りかごが走行中に乗りかごを気密状態とするための弁構造が動作して、乗りかごのドア部の隙間がふさがれ気密状態が保持されるので、乗りかご室外から乗りかご室内への騒音の伝播侵入が防止される。従って、乗りかご室内の騒音が低減できる。
【００４２】
図５の第二例の圧力制御パターンでは、第一例と同様に、最高速度期間における乗りかご室内の気圧の変化率、すなわち第一の変化率の値が、最高速度期間における乗りかご室外の気圧の変化率に略等しくなるように設定される。従って、第一例と同様に、乗りかご室外から乗りかご室内への騒音の伝播侵入が安定に防止される。なお、最高速度期間全体において第一の変化率を維持して、最高速度期間終了直後に、第二の変化率の期間に切り替えても良い。これにより、最高速度期間全体において、乗りかご室内外の気圧の差圧が略一定に保たれるので、乗りかご室外から乗りかご室内への騒音の伝播侵入が安定に防止される。
【００４３】
図６は、本実施形態における圧力制御パターンの第三例を示す説明図である。本図においては、乗りかごが下降（ＤＮ）運転時における、乗りかごの高さ位置における乗りかご室外の気圧（大気圧）と、圧力制御パターンすなわち乗りかご室内の気圧の時間的変化を示す。なお、縦軸は、発車階（例えば、最上階）の気圧を基準（０）としている。また、図４，５と同様に、乗りかごの速度パターンも併記する。
【００４４】
図６に示すように、乗りかご室外気圧は、乗りかごが発車し、下降して停車するまで、乗りかごの下降速度の変化に応じて、略Ｓ字状の圧力曲線に沿って上昇する。ここで、乗りかごの上昇時と同様に、乗りかご室内の気圧を制御しなければ、乗客に、耳閉感（耳詰まり感）などの不快感を生じ易い。
【００４５】
そこで、図６の第三例の圧力制御パターンにおいても、上昇（ＵＰ）時（図４，５）と同様に、折れ線状に時間変化する圧力制御パターンに従って、乗りかご室内の気圧を制御する。すなわち、図６における「乗りかご内気圧」が示すように、第三例の圧力制御パターンは、乗りかごの発車後、所定の第一の変化率（＞０：加圧率）で直線的に変化する期間と、変化率の大きさ（絶対値）が第一の変化率よりも小さな、所定の第二の変化率（＞０：加圧率）で直線的に変化する期間を有し、これらの期間を交互に繰り返しながら、乗りかごが停車するまで、徐々に乗りかご内気圧が上昇する。このため、乗客の不快感が緩和できる。また、乗りかご室内の気圧が、折れ線状のように段階的に時間変化するので、乗客に対し、乗りかご気圧の変化を確実に認識させて、嚥下を誘発することができるので、早期に不快感を解消させることができる。
【００４６】
また、図６の圧力制御パターンでは、乗りかごが発車後、乗りかごの走行速度が速度パターンにおける最高速度に到達する直前までの間は、乗りかご室内の気圧を乗りかご室外の気圧よりも高く（加圧）する。すなわち、乗りかご内は陽圧にされる。そして、最高速度に到達する前に、乗りかご室内の気圧の変化率が、前述の第一の変化率から前述の第二の変化率に切り替えられ、最高速度に到達する直前に、乗りかご室内の気圧の加圧制御から、乗りかご室内の気圧を乗りかご室外の気圧よりも低くする減圧制御に切り替わる。すなわち、この時、乗りかご室内は陽圧から陰圧に切り替わる。その後、減圧制御すなわち陰圧が維持されながら、最高速度の期間内において、乗りかご室内の気圧の変化率が、第二の変化率から第一の変化率に切り替えられ、最高速度の期間においては、第一の変化率が維持される。つまり、最高速度期間においては、陰圧と陽圧の切り替えは実行されない。最高速度期間を過ぎ、減速期間に入ると、減圧制御すなわち陰圧が維持されながら、上述のように、第一の変化率で直線的に変化する期間と、第二の変化率で直線的に変化する期間を交互に繰り返しながら、乗りかごが停車するまで、乗りかご室内の気圧が上昇する。
【００４７】
図６の第三例の圧力制御パターンでは、乗りかごの１走行行程において、加圧制御および減圧制御間の切り替え、すなわち陰圧と陽圧の切り替えが一回のみである。これにより、圧力制御装置の構成や制御プログラムを簡単化することができる。さらに、最高速度に到達する前に、加圧制御から減圧制御に切り替わる。すなわち、この時、乗りかご室内は陽圧から陰圧に切り替わり、最高速度期間においては、減圧制御が維持される。従って、最高速度の期間内においては、乗りかご室内が陰圧に保たれ、乗りかご室内外に圧力差がある状態となる。これにより、乗りかごが走行中に乗りかごの気密状態とするための弁構造が動作して、乗りかごのドア部の隙間がふさがれて気密状態が保持されるので、乗りかご室外から乗りかご室内への騒音の伝播が防止される。従って、乗りかご室内の騒音が低減できる。
【００４８】
図６の圧力制御パターンでは、最高速度期間における乗りかご室内の気圧の変化率、すなわち第一の変化率の値が、最高速度期間における乗りかご室外の気圧の変化率に略等しくなるように設定される。従って、最高速度期間において、乗りかご室内外の気圧の差圧が略一定に保たれる。これにより、最高速度期間において、弁構造は、ほぼ一定の動作状態となるので、乗りかご室外から乗りかご室内への騒音の伝播侵入が安定に防止される。なお、最高速度期間前に、第二の変化率の期間で加圧制御すなわち陽圧に切り換え、その後、最高速度期間直前に、第一の変化率の期間に切り替えても良い。これにより、最高速度期間全体において、乗りかご室内外の気圧の差圧が略一定に保たれるので、乗りかご室外から乗りかご室内への騒音の伝播侵入が安定に防止される。
【００４９】
なお、図４，５の圧力制御パターンの関係と同様に、図６の第三例の変形例として、図６の圧力制御パターンを次のように変形しても良い。すなわち、乗りかごが発車後、乗りかごの走行速度が最高速度である期間の直後までの間、乗りかご室内の気圧を乗りかご室外の気圧よりも高く（加圧）する。すなわち、乗りかご室内の気圧が加圧制御され、乗りかご室内は陽圧に保持される。そして、最高速度期間前に、乗りかご室内気圧の変化率が、第二の変化率から第一の変化率に切り替えられる。最高速度期間に入ると第一の変化率が保持され、最高速度期間が終了する直前に、第一の変化率から第二の変化率に切り替えられる。第二の変化率に切り替えられた後、第二の変化率の期間内において、最高速度期間終了直後に、乗りかご室内の気圧の加圧制御から、乗りかご室内の気圧を乗りかご室外の気圧よりも低くする減圧制御に切り替わる。すなわち、この時、乗りかご内は陽圧から陰圧に切り替わる。その後、減速期間において、減圧制御すなわち陰圧が維持されながら、第一の変化率で直線的に変化する期間と、第二の変化率で直線的に変化する期間を交互に繰り返しながら、乗りかごが停車するまで、乗りかご室内の気圧が上昇する。
【００５０】
本変形例によっても、図６の第三例と同様に、乗りかご室外から乗りかご室内への騒音の伝播が防止される。従って、乗りかご室内の騒音が低減できる。また、図６の圧力制御パターンと同様に、最高速度期間における乗りかご室内の気圧の変化率、すなわち第一の変化率の値が、最高速度期間における乗りかご室外の気圧の変化率に略等しくなるように設定されても良い。また、図５の第二例と同様に、最高速度期間直後に、第一の変化率の期間に切り替えても良い。
【００５１】
なお、本発明は前述した実施形態に限定されるものではなく、様々な変形例が含まれる。例えば、前述した実施形態は本発明を分かりやすく説明するために詳細に説明したものであり、必ずしも説明した全ての構成を備えるものに限定されるものではない。また、各実施形態の構成の一部について、他の構成の追加・削除・置き換えをすることが可能である。
【００５２】
例えば、上記の実施形態では、送風機と送風機制御装置からなる気圧制御装置の制御量が乗りかご室内外の気圧の差圧であるが、これに限らず、例えば、乗りかご室内の気圧を制御量としても良い。
【００５３】
また、エレベーター装置は、機械室を備えず、巻上機や反らせプーリーなどが昇降路内に設置される、いわゆる機械室レスエレベーターでも良い。
【符号の説明】
【００５４】
１…エレベーター装置，２…昇降路，３…乗りかご，４…釣り合いおもり，５…主ロープ，６…シーブ，７…反らせ車，８…機械室，９…最下階，１０…最上階，１１…乗場ドア，１２…かごドア，１３…送風機，１４…側面パネル，１５…床，１６…天井，１７…差圧計，１８…送風機制御装置，１９…シル，２０…シル溝，２１…支持体，２２…弾性体
【図１】
0006694077.tif 000002
【図２】
0006694077.tif 000003
【図３】
0006694077.tif 000004
【図４】
0006694077.tif 000005
【図５】
0006694077.tif 000006
【図６】
0006694077.tif 000007